(57)【要約】 【課題】施工の簡易化と施工コストの低減を達成できると共に、維持管理も容易である、複合型雨水一時貯留槽を提供する。【解決手段】連通状態にある第１貯留槽２と第２貯留槽３とが地下埋設されている。第１貯留槽２は、コンクリート製のものであり、第２貯留槽３は、多数の空間形成ブロック４を縦横及び上下に設置することにより形成された貯留空隙構造体の全体を遮水シート１３０で覆ってなる。第１貯留槽２と第２貯留槽３とは、その上下において、第１貯留槽２に設けられた越流口５と流出口６で連通され、流出口６には逆止弁７が設けられている。逆止弁７は、第２貯留槽３から第１貯留槽２に向けての貯留水の流れを許容するが、その逆の流れを阻止する。第１貯留槽２の一部分に、隔壁９によって排水槽部１０を区画形成する。排水槽部１０に排水部１１が設けられると共に、隔壁９の下側に流出調整口１２が設けられ、その上側に余水吐き１３が設けられている。【選択図】  図３ 
2005179931.tif 000002
【特許請求の範囲】
【請求項１】
相互が連通状態にある第１貯留槽と第２貯留槽が地下に埋設され、該第１貯留槽は、少なくとも底面部と側面部とがコンクリート構造部とされたコンクリート製の貯留空間構造体であって、雨水を流入させる流入部と、貯留水を排水させる排水部とが設けられており、又、前記第２貯留槽は、空間形成ブロックを、縦横及び上下に設置することによって形成された貯留空隙構造体の全体が遮水シートで覆われており、
又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流れを許容するがその逆の流れは阻止する逆止弁が設けられており、
又、前記第１貯留槽内の一部分に、隔壁によって排水槽部を区画形成し、該排水槽部に前記排水部を設けると共に、前記隔壁には、前記流出口の下側に位置させて流出調整口を設け、又、前記越流口の上側に位置させて、前記排水槽部に余水を吐出させる余水吐きを設けたことを特徴とする複合型雨水一時貯留槽。
【請求項２】
相互が連通状態にある第１貯留槽と第２貯留槽が地下に埋設され、該第１貯留槽は、少なくとも底面部と側面部とがコンクリート構造部とされたコンクリート製の貯留空間構造体であり、又、前記第２貯留槽は、空間形成ブロックを、縦横及び上下に配設することによって形成された貯留空隙構造体の全体が遮水シートで覆われており、
又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられており、
又、前記第１貯留槽に対応させて枡部を設置し、該枡部は、区画壁部によって内部が第１区画部と第２区画部に２分割され、該区画壁部の下部には流出調整口が設けられると共に、該区画壁部の上部には、前記越流口の上側に位置させて、第２区画部に余水を吐出させる余水吐きを設け、該第１区画部に流入した雨水が流入部から前記第１貯留槽に流入できるようになされており、又、ポンプによって吸引された貯留水の吐出部が前記第１区画部に設けられ、該吐出部から前記第１区画部に流入した水が前記流出調整口から前記第２区画部に流入でき、該第２区画部に設けられた排水部から排水される如くなされていることを特徴とする複合型雨水一時貯留槽。
【請求項３】
相互が連通状態にある第１貯留槽と第２貯留槽が地下に埋設され、該第１貯留槽は、少なくとも底面部と側面部とがコンクリート構造部とされたコンクリート製の貯留空間構造体であって、雨水を流入させる流入部と、貯留水を排水させる排水部とが設けられており、又、前記第２貯留槽は、空間形成ブロックを、縦横及び上下に配設することによって形成された貯留空隙構造体の少なくとも底面が、水は通過させるが土粒子は通過させない透水シートで覆われており、該貯留空隙構造体の、該透水シートで覆われた部分を除く他の面は遮水シートで覆われており、
又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられており、
又、前記第１貯留槽内の一部分に、隔壁によって排水槽部を区画形成し、該排水槽部に前記排水部を設けると共に、前記隔壁には、前記流出口の下側に位置させて流出調整口を設け、又、前記越流口の上側に位置させて、前記排水槽部に余水を吐出させる余水吐きを設けたことを特徴とする複合型雨水一時貯留槽。
【請求項４】
相互が連通状態にある第１貯留槽と第２貯留槽が地下に埋設され、該第１貯留槽は、少なくとも底面部と側面部とがコンクリート構造部とされたコンクリート製の貯留空間構造体であり、又、前記第２貯留槽は、空間形成ブロックを、縦横及び上下に配設することによって形成された貯留空隙構造体の少なくとも底面が、水は通過させるが土粒子は通過させない透水シートで覆われており、該貯留空隙構造体の、該透水シートで覆われた部分を除く他の面は遮水シートで覆われており、
又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられており、
又、前記第１貯留槽に対応させて枡部を設置し、該枡部は、区画壁部によって内部が第１区画部と第２区画部に２分割され、該区画壁部の下部には流出調整口が設けられると共に、該区画壁部の上部には、前記越流口の上側に位置させて、第２区画部に余水を吐出させる余水吐きを設け、該第１区画部に流入した雨水が流入部から前記第１貯留槽に流入できるようになされており、又、ポンプによって吸引された貯留水の吐出部が前記第１区画部に設けられ、該吐出部から前記第１区画部に流入した水が前記流出調整口から前記第２区画部に流入でき、該第２区画部に設けられた排水部から排水される如くなされていることを特徴とする複合型雨水一時貯留槽。
【請求項５】
前記空間形成ブロックは、プラスチック製であることを特徴とする請求項１、２、３又は４記載の複合型雨水一時貯留槽。
【請求項６】
前記第１貯留槽の底部は泥溜め部とされ、前記流出調整口の下端及び前記逆止弁の下端は該泥溜め部の上端より下には位置しないことを特徴とする請求項１又は３記載の複合型雨水一時貯留槽
【請求項７】
前記第１貯留槽の底部は泥溜め部とされ、前記逆止弁の下端は該泥溜め部の上端より下には位置せず、且つ、前記第１区画部の底部は沈砂部とされ、前記流出調整口の下端は該沈砂部の上端より下には位置しないことを特徴とする請求項２又は４記載の複合型雨水一時貯留槽。
【発明の詳細な説明】
【技術分野】
【０００１】
本発明は、施工性、施工経済性に優れると共に維持管理も容易である複合型雨水一時貯留槽に関するものである。
【背景技術】
【０００２】
大量の雨水を一時的に貯留し、河川への急激な雨水流出を抑制する雨水一時貯留槽の設置は、河川の治水対策上有効な手段である。この種の雨水一時貯留槽としては、従来、全体がコンクリート製で大空間を有する空間式貯留槽と、プラスチック製等の空間形成ブロックを縦横及び上下に設置することによって形成した構造物の周囲全体を遮水シート等のシート類で覆ってなる空隙式貯留槽の２種類が提案されており、夫々の利点、欠点を勘案して使い分けがなされている。
【０００３】
前記空間式貯留槽は、内部に大空間が得られることから、槽内に作業者が入って槽底部の沈殿土砂を容易に除去できる等、貯留槽の維持管理が容易である利点があったが、小規模な貯留槽を構築する場合は工費が割高となり、又、施工現場でコンクリートを打設し養生する必要があるために工期が長引く欠点があった。
【０００４】
一方前記空隙式貯留槽は、使用する空間形成ブロックが非常に軽量であるために施工性が極めて良く、経済的に優位であり、しかも工期の短縮を期し得る利点があったが、小空隙の集合によって貯留槽が構成され槽内部が入り組んでいるために、流入雨水に混入されていた土砂等が小空隙に沈殿した場合にその除去が困難であって、貯留槽の目詰まりが進行しやすい欠点があった。
【特許文献１】実公昭６３−３５０９２号公報（第１−７頁、第１図）
【特許文献２】特開２００２−８８８２８号公報（第３−５頁、第８−９図）
【発明の開示】
【発明が解決しようとする課題】
【０００５】
本発明は、前記従来の問題点に鑑みて開発されたものであり、全体としての施工の簡易化と施工コストの低減を達成できると共に、維持管理も容易である複合型雨水一時貯留槽の提供を課題とするものである。
【課題を解決するための手段】
【０００６】
前記課題を解決するため、本発明は以下の手段を採用する。
即ち、本発明に係る複合型雨水一時貯留槽は、相互が連通状態にある第１貯留槽と第２貯留槽が地下に埋設され、該第１貯留槽は、少なくとも底面部と側面部とがコンクリート構造部とされたコンクリート製の貯留空間構造体であって、雨水を流入させる流入部と、貯留水を排水させる排水部とが設けられており、又、前記第２貯留槽は、空間形成ブロックを、縦横及び上下に設置することによって形成された貯留空隙構造体の全体が遮水シートで覆われている。又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流れを許容するがその逆の流れは阻止する逆止弁が設けられている。又、前記第１貯留槽内の一部分に、隔壁によって排水槽部を区画形成し、該排水槽部に前記排水部を設けると共に、前記隔壁には、前記流出口の下側に位置させて流出調整口を設け、又、前記越流口の上側に位置させて、前記排水槽部に余水を吐出させる余水吐きを設けたことを特徴とするものである。
【０００７】
本発明に係る複合型雨水一時貯留槽の他の態様は、相互が連通状態にある第１貯留槽と第２貯留槽が地下に埋設され、該第１貯留槽は、少なくとも底面部と側面部とがコンクリート構造部とされたコンクリート製の貯留空間構造体であり、又、前記第２貯留槽は、空間形成ブロックを、縦横及び上下に配設することによって形成された貯留空隙構造体の全体が遮水シートで覆われている。又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられている。又、前記第１貯留槽に対応させて枡部を設置し、該枡部は、区画壁部によって内部が第１区画部と第２区画部に２分割され、該区画壁部の下部には流出調整口が設けられると共に、該区画壁部の上部には、前記越流口の上側に位置させて、第２区画部に余水を吐出させる余水吐きを設け、該第１区画部に流入した雨水が流入部から前記第１貯留槽に流入できるようになされており、又、ポンプによって吸引された貯留水の吐出部が前記第１区画部に設けられ、該吐出部から前記第１区画部に流入した水が前記流出調整口から前記第２区画部に流入でき、該第２区画部に設けられた排水部から排水される如くなされていることを特徴とするものである。
【０００８】
本発明に係る複合型雨水一時貯留槽のその他の態様は、相互が連通状態にある第１貯留槽と第２貯留槽が地下に埋設され、該第１貯留槽は、少なくとも底面部と側面部とがコンクリート構造部とされたコンクリート製の貯留空間構造体であって、雨水を流入させる流入部と、貯留水を排水させる排水部とが設けられており、又、前記第２貯留槽は、空間形成ブロックを、縦横及び上下に配設することによって形成された貯留空隙構造体の少なくとも底面が、水は通過させるが土粒子は通過させない透水シートで覆われており、該貯留空隙構造体の、該透水シートで覆われた部分を除く他の面は遮水シートで覆われている。又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられている。又、前記第１貯留槽内の一部分に、隔壁によって排水槽部を区画形成し、該排水槽部に前記排水部を設けると共に、前記隔壁には、前記流出口の下側に位置させて流出調整口を設け、又、前記越流口の上側に位置させて、前記排水槽部に余水を吐出させる余水吐きを設けたことを特徴とするものである。
【０００９】
本発明に係る複合型雨水一時貯留槽のその他の態様は、相互が連通状態にある第１貯留槽と第２貯留槽が地下に埋設され、該第１貯留槽は、少なくとも底面部と側面部とがコンクリート構造部とされたコンクリート製の貯留空間構造体であり、又、前記第２貯留槽は、空間形成ブロックを、縦横及び上下に配設することによって形成された貯留空隙構造体の少なくとも底面が、水は通過させるが土粒子は通過させない透水シートで覆われており、該貯留空隙構造体の、該透水シートで覆われた部分を除く他の面は遮水シートで覆われている。又、前記第１貯留槽と前記第２貯留槽とは、その上部において、第１貯留槽の設定水位を超えた貯留水を第２貯留槽に越流させる越流口で連通されると共に、その下部において、第２貯留槽の貯留水を第１貯留槽に流出させる流出口で連通され、該流出口には、第２貯留槽から第１貯留槽に向けての貯留水の流出を許容するがその逆の流れは阻止する逆止弁が設けられている。又、前記第１貯留槽に対応させて枡部を設置し、該枡部は、区画壁部によって内部が第１区画部と第２区画部に２分割され、該区画壁部の下部には流出調整口が設けられると共に、該区画壁部の上部には、前記越流口の上側に位置させて、第２区画部に余水を吐出させる余水吐きを設け、該第１区画部に流入した雨水が流入部から前記第１貯留槽に流入できるようになされており、又、ポンプによって吸引された貯留水の吐出部が前記第１区画部に設けられ、該吐出部から前記第１区画部に流入した水が前記流出調整口から前記第２区画部に流入でき、該第２区画部に設けられた排水部から排水される如くなされていることを特徴とするものである。
【００１０】
前記した各複合型雨水一時貯留槽において、前記空間形成ブロックは、プラスチック製とするのがよい。
【００１１】
第１貯留槽内の一部分に排水槽部を区画形成する前記雨水一時貯留槽において、前記第１貯留槽の底部を泥溜め部とし、前記流出調整口の下端及び前記逆止弁の下端は該泥溜め部の上端より下には位置しないように構成するのがよい。
【００１２】
枡部を具える前記雨水一時貯留槽において、前記第１貯留槽の底部は泥溜め部とし、前記逆止弁の下端は該泥溜め部の上端より下には位置しないように構成し、且つ、前記第１区画部の底部は沈砂部とし、前記流出調整口の下端は該沈砂部の上端より下には位置しないように構成するのがよい。
【発明の効果】
【００１３】
本発明は以下の如き優れた効果を奏する。
(1)本発明は、コンクリート製の貯留空間構造体として構成された第１貯留槽と、空間形成ブロックを縦横及び上下に設置することによって構成された貯留空隙構造体の全体を遮水シートや透水シートで覆うことによって構成された第２貯留槽とを合理的に組み合わせて構成しているため、両貯留槽の利点を生かし且つ欠点を補い合うところの、維持管理が容易でありながら、全体としての施工の容易化と施工コストの低減を期し得る雨水一時貯留槽を提供できることになる。
【００１４】
より具体的には、発明によるときは、設定された降雨強度以下の通常の降雨時においては、コンクリート製の第１貯留槽のみで雨水を貯留することとし、設定降雨強度を越えた大雨時には、雨水に混入していた土砂を第１貯留槽の底部に沈殿させた状態の貯留水を越流口から第２貯留槽内に流入させることができる。該第２貯留槽は、その内部が入り組んだ空間になっているために、土砂が流入した場合にその除去が困難な構造のものではあるが、槽内には土砂等が殆ど流入しないため、維持管理の不要な貯留槽となし得る。そして、第１貯留槽に流入した雨水に混入していた土砂は、第１貯留槽の底部に堆積することになるが、該第１貯留槽は大空間を有するために、作業者が槽内に入って堆積物を除去することが容易である。このように本発明によるときは、槽全体としての維持管理作業を容易に行うことができる。
【００１５】
しかも、第２貯留槽の構築は、軽量な空間形成ブロックの設置によって行うため、コンクリート製の第１貯留槽を構築する場合のような大掛かりな施工を要さず簡易に構成できる。このように第２貯留槽を簡易に構成できることから、本発明によるときは、数十年に１度の豪雨に対応できる容積を有した大規模な貯留槽であっても、これを施工コストの低減を図って構築できることとなる。このように本発明によるときは、大容量の貯留槽を施工性良く経済的に構築できるのである。
【００１６】
(2)本発明に係る複合型雨水一時貯留槽において、第２貯留槽を、貯留空隙構造体の少なくとも下面を透水性シートで覆うことによって構成した場合は、第２貯留槽内の貯留水の一部を地下浸透させて地下水の豊富化を図ることができる。更に、上面も透水性シートで覆うと共に、第２貯留槽の上面に透水性の舗装部を形成した場合は、該舗装部を浸透した雨水を、前記透水シートを通過させて第２貯留槽３に流入させることができるため、降雨時において走行車両のスリップ事故等を防止できることとなる。
【００１７】
(3)空間形成ブロックをプラスチック製とすることにより、その軽量化を図ってブロックの取扱性を向上させ得るため、貯留槽構築の施工能率を一層向上させることができる。
【００１８】
(4)第１貯留槽の底部を泥溜め部とし、前記逆止弁の下端を該泥溜め部の上端より下には位置しないように設けたときは、流入した雨水に混入している土砂を該泥溜め部に沈殿させることができる。その結果、該泥溜め部に沈殿した堆積物によって、逆止弁の開放が阻害されることがない。
【実施例１】
【００１９】
図１〜３において本発明に係る複合型雨水一時貯留槽１は、互いに隣接し且つ相互が連通状態にある第１貯留槽２と第２貯留槽３が地下に埋設されている。該第１貯留槽２はコンクリート製のものであり、又該第２貯留槽３は、多数の空間形成ブロック４を縦横及び上下に設置して構成されている。両貯留槽２，３は、その上部において、第１貯留槽２内の設定水位Ｌ（図３）を越えた貯留水を第２貯留槽３内に越流させる越流口５で連通されると共に、その下部において流出口６で連通されており、該流出口６には逆止弁７が付設されている。又、前記第１貯留槽２の一端側に、雨水を流入させる流入部８が設けられると共に、その他端側には、隔壁９によって排水槽部１０が区画形成されている。そして該排水槽部１０に貯留水の排水部１１が設けられると共に、該隔壁９には、流出調整孔１２と余水吐き１３が設けられている。なお図３（Ａ）においては、後述する第１のフィルタ具８２と第２のフィルタ具８３が省略されている。
【００２０】
該第１貯留槽２の容積は、周辺における比較的頻度の高い降雨強度を基に設定されており、その設定降雨強度以下の通常の降雨時には、第２貯留槽３には雨水が流入せず、該第１貯留槽２のみが雨水の流入機能と排出機能を果たすようになされている。
【００２１】
そして、数年に一度の大雨時に、該第１貯留槽２内の貯留水の水位が前記設定水位Ｌを越えた場合は、図３（Ｂ）に矢印で示すように、第１貯留槽２の貯留水が前記越流口５を越流して前記第２貯留槽３内に流入する。そして両貯留槽２，３の全体容積は、数十年に一度の豪雨に対応できるように設定されている。
【００２２】
前記第１貯留槽２は、図２、図４に示すように、一方向に延長する箱型槽として構成され、維持管理のために内部に作業者が入ることができるものであって、箱型ブロック１５の端部相互を連結して構成された槽本体１６の一端に存する箱型ブロック１５ａに、その端部を覆う端面ブロック１７が連結されている。又、該槽本体１６の他端の箱型ブロック１５ｂには、隔壁ブロック１９と、別の箱型ブロック１５ｃと、端面ブロック２０が順次連結されて前記排水槽部１０が構成されている。
【００２３】
前記箱型ブロック１５は、図５〜６に示すように、前後端が開放した角筒状をなすプレキャストコンクリートブロックとして構成され、その内面部の四隅部分が傾斜面２２に形成されている。又該ブロックの四隅部には、前後方向に貫通する連結孔２３が設けられると共に、両開放端２５，２６の周縁部分には、互いに嵌合し得る環状突条２７と環状切欠条溝２９が設けられている。
【００２４】
又、前記端面ブロック１７及び端面ブロック２０には、その四隅部に、前後方向に貫通する連結孔２３が設けられている。
【００２５】
又、前記該隔壁ブロック１９は、図６〜７に示すように、前後端が開放した角筒状をなし且つ内面部の四隅部分が傾斜面３０に形成されたブロック本体３１の内部が前記隔壁９で前後に二分割されており、プレキャストコンクリートの一体物である。又、該隔壁ブロック１９の四隅部には、前後方向に貫通する連結孔２３が設けられると共に、両開放端３３，３５の周縁部分には、互いに嵌合し得る環状突条３６と環状切欠条溝３７が設けられている。そして前記隔壁９の下部には、縦長矩形状の前記流出調整口１２が設けられると共に、その上部に、横長矩形状開口からなる前記余水吐き１３が設けられている。
【００２６】
前記越流口５は、例えば、図８、図３〜４に示すように、前記槽本体１６の中央に存する箱型ブロック１５ｄの一側（第２貯留槽側）の側壁部３９の上端側に設けられた横長矩形状の開口として形成されている。又前記流出口６は、図９〜１０、図３〜４に示すように、前記槽本体１６の例えば一端側に存する箱型ブロック１５ｅの一側（第２貯留槽側）の側壁部４０の下端側に設けられた正方形状開口として形成されている。
【００２７】
又、前記流出口６に設けられる前記逆止弁７は、図９〜１０に示すように、該流出口６を第１貯留槽２内で閉止可能な例えば矩形板状に形成され、その上縁部４１が蝶番４２を介して該流出口の上縁部４３に取り付けられて回動可能である。
【００２８】
該逆止弁７は、図１０に示すように傾斜状態に開放することにより、第２貯留槽３から第１貯留槽２に向けての貯留水の流出を許容するが、第１貯留槽２内の貯留水の水圧によって図３、図９に示す垂下状態で流出口６を閉じ、第１貯留槽２から第２貯留槽３に向けての貯留水の流出を阻止する。
【００２９】
又、前記槽本体１６の他端に有る前記箱型ブロック１５ａの頂面部４５には、図５、図２に示すように長方形状の流入口４６が設けられると共に、該流入口４６に連通するように、角筒状部材４７が立設され、該角筒状部材４７の上端が図１、図３に示すように蓋体４９で閉蓋される。又、該角筒状部材４７の一側壁５０には、図３に示すように、流入枡５１に一端５２が連結された流入管５３の他端５５が連結されており、側溝５６を流下した雨水が、図３に矢印で示すように、該流入枡５１に流入して土砂が沈殿された後、該流入管５３を介して角筒状部材４７内に流入し、前記流入口４６から第１貯留槽２内に流入するようになされている。
【００３０】
又図６、図１〜２、図４に示すように、前記他端の箱型ブロック１５ｂの頂面部５７には、その一側寄りに、貯留槽内への出入口となるマンホール５９が設けられ、該マンホール５９に連通するように円筒状部材６０が立設され、該円筒状部材６０の上端が蓋体６１で閉蓋される。又、該箱型ブロック１５ｂの一方の内壁面６２には、前記マンホール５９を通して作業者が槽内に出入りできるようにステップ６３が設けられている。又、前記別の箱型ブロック１５ｃの頂面部６５にも同様にしてマンホール６６が設けられ、該マンホール６６に連通するように円筒状部材６７が立設され、該円筒状部材６７の上端が蓋体６９で閉蓋される。又、図２、図１１に示すように、該円筒状部材６７の内壁面６４及び該箱型ブロック１５ｃの一方の内壁面７０にステップ６３が設けられている。
【００３１】
又、前記箱型ブロック１５ｃに連結される前記端面ブロック２０の下部には、図６に示すように排水口７１が設けられており、図２に示すように該排水口７１に排水管７２が挿入状態に接続されることによって前記排出部１１が形成されている。そして、該排水管７２の排水断面積は、前記流出調整口１２の開口面積よりも大きく設定されている。
【００３２】
前記のように配置されたブロックの全体は、図４に示すように、各ブロックの四隅部に設けられた連結孔２３に緊張鋼材７３を挿通し、これを緊張させることにより、水密に連結一体化され、前記第１貯留槽２が構成される。この状態で、図２に示すように、立設状態にある前記角筒状部材４７及び円筒状部材６０，６７の上端面７５，７６，７７が地盤表面７９と面一となるので、該角筒状部材４７及び円筒状部材６０，６７が埋まるように土砂を埋め戻すことにより、第１貯留槽２は地下埋設される。
【００３３】
ここで、前記流出調整口１２と前記余水吐き１３と前記越流口５と前記流出口６の位置関係、及びその開口面積について説明する。前記のように構成された第１貯留槽２の底部側の例えば２０ｃｍ深さ部分（図２〜３、図９に示す、前記傾斜面２２の上端７９よりも下の部分）が泥溜め部８０とされ、その稍上側に位置させて前記流出調整口１２が設けられると共に、前記垂下状態の逆止弁７の下端を該泥溜め部８０の稍上側に位置させてある。これにより、泥溜め部８０に沈殿した土砂が該流出調整口１２に入り難く、又、前記逆止弁７の円滑な開閉が沈澱土砂７８（図３）によって妨げられる恐れがない。勿論、泥溜め部８０の沈澱土砂量が多くならない内に定期的に沈澱土砂が除去される。
【００３４】
第１貯留槽２内の貯留水は、最終的には河川に放流されるのであるが、前記流出調整口１２の開口面積は、該流出調整口１２から河川に放流される際の河川の耐え得る許容放流量を考慮して設定されるものであり、通常２５〜１５０ｃm2に設定される。本実施の形態
においては、縦１５ｃｍで横１０ｃｍの矩形状に形成されている。
【００３５】
又本実施例においては、前記越流口５の開口面積は、前記流入管５３の流入断面積（前記流入部８の流入断面積）と等しいかこれよりも大きく設定し、第１貯留槽２内の貯留水の水位が前記設定水位Ｌ（図３）を越えた後も雨水流入が継続される場合は、図３（Ｂ）に矢印で示すように、貯留水が順次第２貯留槽３内に流入するようになされている。又、前記流出口６の開口面積は、前記流出調整口１２の開口面積よりも大きく設定されている。
【００３６】
本実施例においては、図２、図１１に示すように、前記排水槽部１０の下側部分も泥溜め部８１とされ、該泥溜め部８１の稍上側に位置させて前記排水口７１が設けられている。そして該排水口７１に接続されている前記排水管７２の排水断面積は、前記流出調整口１２の開口面積よりも大きく設定されている。本実施例においては、該排水管７２の内径が約２４０ｍｍに設定されているため、排水槽部１０に流入した貯留水は速やかに河川に排出される。
【００３７】
本実施例においては、前記排水槽部１０内に流入する貯留水を濾過するために、図７、図１１〜１３に示すように、該流出調整口１２の全体を第１のフィルタ具８２で覆うと共に、前記第２貯留槽３内への貯留水を濾過するために、図８、図１４〜１５に示すように、前記越流口５の全体を第２のフィルタ具８３で覆っている。
【００３８】
該第１のフィルタ具８２は、図７、図１１〜１３に示すように、上下に稍長い直方体状の枠体８５の後面部８６が開放すると共に左右側面部８７，８９と上下面部９０，９１と前面部９２の上半分９２ａが、線状フィルタ片９３を平行に配置して形成されたフィルタ面部９４，９４，９４，９４で覆われている。又、該前面部９２の下半分９２ｂは、開閉可能なフィルタ板９６で覆われている。該フィルタ板９６は、線状フィルタ片９３を並設して形成され、その上縁部９５が、前記上半分９２ａの下縁部９６の左右部位に、蝶番９７，９７を介して枢着され、下端の取っ手９９を把持して図１３に示すように上向きに開くことができるように構成されている。そして該フィルタ板９６は、その左右に設けた係合溝１００，１００に、前記枠体８５の左右部位に回動可能に設けられたストッパ片１０１が嵌め入れられることによって、図１２に示すように垂下状態で固定される。
【００３９】
又前記第２のフィルタ具８３は、図８、図１４〜１５に示すように、上下に稍長い直方体状の枠体１０２の後面部１０３が開放すると共に左右側面部１０５，１０６と上下面部１０７，１０９が、線状フィルタ片９３を平行に配置して形成されたフィルタ面部９４，９４，９４，９４で覆われている。又、枠体１０２の前面部１１０は、開閉可能なフィルタ板１１１で覆われている。該フィルタ板１１１は、線状フィルタ片９３を並設して形成され、その上縁部１１２が、前記枠体１０２の上縁部１１３の左右部位に、蝶番９７，９７を介して枢着され、下端の取っ手９９を把持して図１５に示すように上向きに開くことができるように構成されている。そして該フィルタ板１１１は、その左右に設けた係合溝１００，１００に、前記枠体１０２の左右部位に回動可能に設けられたストッパ片１０１が嵌め入れられることによって、図１４に示すように垂下状態で固定される。
【００４０】
前記第２貯留槽３を構成する前記空間形成ブロック４は、全体がプラスチック製のものであり、図１６に示すように、透孔１１５が設けられた正方形板状の天板１１６の四隅部及び各辺部の中間に位置させて、下端に向けて細くなる脚片１１７が下設されている。そして図１７に示すように、各脚片１１７の下端部分１１９を、下段に位置する天板１１６の上面部の四隅部及び各辺部の中央に設けられた嵌入凹部１２０に嵌入可能となされており、このように嵌入させることにより、図１７に示すように、該空間形成ブロック４を上下に連結状態に設置できる。又図１８に示すように、前記天板１１６の各辺部の左右に位置させ、且つ、天板の厚さ方向の上側１／２部分に連結溝１２１が設けられている。そして図１９に示すように、隣り合う天板１１６，１１６に設けられている対向する連結溝１２１，１２１に、図１８に示すような、断面コ字状を呈する下端開放の箱型連結具１２３の左右の連結片１２５，１２５を前記連結溝１２１，１２１に上から落とし込み状態に嵌め入れることにより、天板１１６，１１６相互を連結可能となされている。
【００４１】
第２貯留槽３を構成するには、例えば図２０〜２１に示すように、地盤を掘削して形成した施工空間１２６の底面１２７に保護シート１２９を敷き詰めて後、該保護シート１２９上に、水を通過させない遮水シート１３０を敷き詰める。これにより、該底面１２７に石の角部が突出している等の場合であっても、該遮水シート１３０が丈夫な保護シート１２９で保護されることから、遮水シート１３０の損傷が防止される。次に、該遮水シート１３０上に、例えばプラスチック製の矩形板状の支持板１３１を、前記と同様構成の箱型連結具１２３を用いて相互を連結しながら敷設し、前記施工空間の底部に、支持板１３１からなる設置面１３２を形成する。なお該支持板１３１の上面部には、図１６〜１７に示すように、前記脚片１１７の下端部分１１９を嵌入させるための嵌入凹部１３３が設けられている。
【００４２】
その後、該設置面１３２に前記空間形成ブロック４を、図２２に示すように、前記要領により相互を連結しながら縦横及び上下に設置する。このように上下に設置する際、前記第１貯留槽２の外側面１３５に接する部分については、図２０、図２２に示すように、前記保護シート１２９を省略して該外側面１３５を遮水シート１３０で直接覆ってもよい。該外側面１３５には、遮水シート１３０を損傷するような突部が存在しないからである。  
【００４３】
又、該遮水シート１３０の内面に当接する状態で、前記と同様構成の支持板１３１を張り付け、隣り合う支持板相互を前記箱型連結具１２３で連結する。該支持板１３１は、前記遮水シート１３０が土圧で撓んで損傷されないようにこれを安全に支持する。
【００４４】
前記施工空間１２６の内、第１貯留槽２の前記外側面１３５が存在しない他の三つの側面については、遮水シート１３０を保護する目的で、その外側に、前記と同様構成の保護シート１２９を配置する。そして該遮水シート１３０の内側には、前記と同様にして支持板１３１が配置される。
【００４５】
前記施工空間１２６をこのように処理しながら前記空間形成ブロック４を上下に設置していく。図２３、図１、図３は、施工空間１２６の全体に空間形成ブロック４を充填した状態を示すものである。このように充填状態とされることにより、第２貯留槽３の構造的な安定が保たれる。
【００４６】
なお、前記流出口６及び越流口５が存する部分においては、図２０、図２１に示すように、前記支持板１３１を除去する共に前記遮水シート１３０に、流出口６や越流口５の形状に合わせて開口１４０，１４１を設け、該開口１４０，１４１の周縁部分を前記流出口６の周縁部分及び前記越流口５の周縁部分に接着する。且つ、該開口の周縁部分に被るように、例えばアルミニウム製の矩形状枠１４７を当てがい、該矩形状枠１４７を該周縁部分にボルト１４９で固定し、これにより、流出口６及び越流口５部分における止水を図る。
【００４７】
然る後、図１、図２３に示すように、空間形成ブロック４の充填部としての貯留空隙構造体１５０の上面１５１に、前記と同様構成の支持板１３１を、前記箱型連結具１２３で相互を連結しながら敷設し、その上を前記遮水シート１３０で覆う。これにより、前記空間形成ブロック４を縦横及び上下に設置することによって形成された貯水空隙構造体１５０の全体が遮水シート１３０で覆われた第２貯留槽３が構成される。なお前記遮水シート１３０としては、全体が一枚のものを使用する他、複数枚を繋ぎ合わせて使用する。繋ぎ合わせる場合は、その繋ぎ目を、ボンドや止水性粘着テープ等を用いて確実に止水する。更に、該遮水シート１３０を前記保護シート１２９で覆って後、該保護シート１２９上に土砂を埋め戻す。これにより、図１〜３に示すように、第１、第２貯留槽２，３が完全に地下に埋設された状態となり、その上部空間を公園や駐車場等、多目的に使用できる。
【００４８】
なお、第２貯留槽３を設置する施工空間１２６の底面１２７（図３、図２２）は、前記第１貯留槽２に向けて下方に傾斜させるのがよく、より好ましくは、該底面１２７を、前記流出口６に向けて傾斜させるのがよいが、本実施例においては、該底面１２７を水平状態に形成し、第２貯留槽の底面部（前記設置面１３２）を前記流出口６の下端１５２と略合致させている。
【００４９】
然して、かかる構成を有する複合型雨水一時貯留槽１によるときは、図３に示すように、周辺の雨水が側溝５６に流入して後、前記流入枡５１に流入し、その後、前記流入管５３を流下して前記角筒状部材４７内に流入し、然る後、前記流入口４６を通して第１貯留槽２内に自然に流入する。
【００５０】
第１貯留槽２内の水位が前記泥溜め部８０の上端を越えて上昇すると、貯留水が、図１１に矢印で示すように、前記流出調整口１２を通して前記排水槽部１０内に流入する。この流入の際、落葉等の浮遊物が前記第１のフィルタ具８２で濾過される。その後、該排水槽部１０内で水位が上昇すると、排水槽部１０内の貯留水は前記排水管７２を経て河川に排水される。
【００５１】
流出調整口１２からの流出量を上回る雨水が第１貯留槽２に流入したときは、槽内の水圧によって前記逆止弁７が図９に示すように閉じた状態となるため、流入した雨水は第２貯留槽３には流入せず、第１貯留槽２内の水位が上昇していく。この際、流入した雨水に混入していた土砂は前記泥溜め部８０に沈殿する。
【００５２】
頻繁に起こり得る通常の降雨強度においては第１貯留槽２内の最大水位は前記設定水位Ｌ（図３）以下であるため、前記第２貯留槽３内に貯留水が流入することはなく、第１貯留槽２のみが雨水の流入機能と排水機能を果たす。
【００５３】
数年に１度、例えば２〜３年に１度程度の大雨時においては、第１貯留槽２内の水位が前記設定水位Ｌを越え、図３（Ｂ）に矢印で示すように、前記越流口５を越流して前記第２貯留槽３内に流入する。この流入の際、落葉等の浮遊物が前記第２のフィルタ具８３で濾過される。
【００５４】
第１貯留槽２内に流入した雨水に混入していた土砂は、前記のように泥溜め部８０に沈殿するため、第２貯留槽３には、土砂が殆ど混入されていない貯留水が流入する。
【００５５】
なお前記のように、越流口５の開口面積は、前記のように、流入管５３の流入断面積と等しいかこれよりも大きく設定されているため、前記設定水位Ｌを越えた貯留水を順次第２貯留槽３内に順次越流させることができる。
【００５６】
前記のように、第１貯留槽２内の貯留水の水圧によって前記逆止弁７が閉じた状態にあるため、第２貯留槽３内の貯留水は第１貯留槽２内に流出しない。第１貯留槽２内への雨水流入が減少するか或いはストップすることによって第１貯留槽２内の水位が低下し、第２貯留槽３内の貯留水の水圧によって前記逆止弁７が開放されたときに初めて、該貯留水は、図２４に矢印で示すように、第１貯留槽２内に流出され、前記流出調整口１２より排水槽部１０に流出した後、前記排水管７２を介して河川に排水される。このように、流出調整口１２を通過した雨水のみを河川に排水させるため、急激な雨水が河川に放流されるのを防止できる。前記のように、第２貯留槽３の底面部を、前記流出口６の下端１４８（図２４）と略合致させているため、前記逆止弁７の開放による第２貯留槽３から第１貯留槽２への貯留水流出によって、該第２貯留槽３を略空にできる。
【００５７】
そして前記のように、閉じた状態にある逆止弁７の下端位置を、前記泥溜め部８０の稍上側に設定しているため、泥溜め部８０の堆積物によって逆止弁７の開放が阻害されることはない。なお、泥溜め部８０に堆積した土砂は、泥溜め部８０の上端を越えて堆積することがないように、適宜、槽内に入った作業者により除去される。又、前記第１、２のフィルタ具８２，８３に付着した落葉等は、槽内に入った作業者により、図１３、図１５に示すように、適宜前記フィルタ板９６，１１１を開いて除去される。
【００５８】
数十年に１度、例えば３０年に１度の豪雨時においては、前記越流口５からの流入水によって第２貯留槽３が満水状態になる場合が生ずる。このような豪雨時においては、限界水位を越えた余分の貯留水が、図１１に矢印で示すように、前記余水吐き１３より前記排水槽部１０内に流入し、前記排水管７２より排水される。該排水管７２の排水断面積は、前記のように、前記流出調整口１２の開口面積よりも大きく設定されているため、余水吐き１３からの流水を排水させることが可能なのである。
【実施例２】
【００５９】
図２５〜２６は、本発明に係る複合型雨水一時貯留槽１の他の実施例を示すものであり、流出調整口１２を、第１貯留槽２の一端側に隣り合わせて設置した枡部１５０に設ける構成を採用すると共に、該第１貯留槽２内の貯留水を例えば水中ポンプとしてのポンプ１５１で吸引してこれを前記枡部１５０内に流入させ、前記流出調整口１２を通して河川に排水するように構成した点が、実施例１における場合と基本的に相違する。
【００６０】
第１実施例においては、放流先の河川が第１貯留槽２の前記排水管７２の連結部位よりも下レベルに存するのに対して、本実施例においては、放流先の河川が第１貯留槽２の下部（前記排水管７２が存する部位）よりも上レベルに存するために、かかる相違があるのである。
【００６１】
そのため本実施例においては、前記第１貯留槽２は、隔壁によって区画形成された前記排水槽部１０を有しておらず、槽全体が貯留機能を有する。又該第１貯留槽２の一端側の底部に、図２６に示すように、前記ポンプ１５１を収容するためのポンプピット１５２が凹設されている。該ポンプピット１５２は、本実施例においては、前記と同様構成の箱型ブロック１５の底部に設けられた開口１５３に凹部１５５が連通するピット構成部１５６を設けて構成されている。該ピット構成部１５６は、プレキャストコンクリート製のブロックを用いても構成できるが、本実施例においては、基礎１５４と一体に形成されている。又該第１貯留槽２には、図２５〜２７に示すように、前記と同様構成で、逆止弁７によって開閉可能な流出口６と、第１貯留槽２内の貯留水を第２貯留槽３内に越流させる越流口５と、マンホール１５７が設けられている。
【００６２】
又前記枡部１５０は、図２８に示すように、上端が開放した直方体箱状に形成されており、区画壁部１５９によって、内部が第１区画部１６０と第２区画部１６１とに２分割されている。そして該区画壁部１５９の下部には、例えば正方形状の流出調整口１２が設けられ、その下側部分が沈砂部（泥溜め部分）１６２とされると共に、該区画壁部１５９の上部には、前記第２区画部１６１に余水を吐出させる余水吐き１６３が設けられている。  
【００６３】
かかる構成を有する枡部１５０は、図２７に示すように、前記第１区画部１６０の内側の側壁部１６４の下側部分１６５を前記第１貯留槽２の一端側の外面１６６に当接させて設置されており、該内側の側壁部１６４の、前記沈砂部１６２の上側部位と、前記一端側の側壁部１６７の上端部位相互が、管体１６９で連通されて、流入部８が設けられている。
【００６４】
そして、前記第１区画部１６０の外側の側壁部１７０の上端側に、該第１区画部１６０に連通する如く流入管１７１が接続されると共に、前記第２区画部１６１には、図２８に示すように排水管１７２が接続されて、排水部１１が形成されている。該排水管１７２の排水断面積は、前記流出調整口１２の開口面積よりも大きく設定されている。又、前記ポンプ１５１が前記ポンプピット１５２内に設置され、該ポンプ１５１に連結された送水管１７３の吐出部１７５が前記第１区画部１６０内に納設されている。
【００６５】
又前記第２貯留槽３は、実施例１における場合と同様にして、空間形成ブロック４を前記施工空間に縦横及び上下に設置することによって構成されている。
【００６６】
然して、かかる構成を有する複合型雨水一時貯留槽１によるときは、周辺の雨水が前記流入管１７１を通して図２７に矢印で示すように前記第１区画部１６０内に流入して後、該雨水に混入されていた土砂等が前記沈砂部１６２に一次的に沈殿される。流入した雨水量が前記流出調整口１２の流出量より少ない間は、該流出調整口１２から雨水が流出するだけであり前記第１貯留槽２には流入しない。流入した雨水量が前記流出調整口１２の流出量を上回ったときは、雨水が、図２７に矢印で示すように、前記管体１６９を通して前記第１貯留槽２内に流入する。
【００６７】
このように流入した雨水は、前記ポンプ１５１の稼働によって一定量が吸引され、図２７に矢印で示すように、前記送水管１７３の吐出部１７５から前記第１区画部１６０に流入する。このように流入した貯留水は、図２８に矢印で示すように、前記流出調整口１２から前記第２区画部１６１内に一定量が順次流入し、前記排水管１７２を介して河川に放流される。なお、前記吐出部１７５からの吐出量が前記流出調整口１２からの流出量よりも多い場合は、その一部が、前記管体１６９を経て第１貯留槽２内に戻る。
【００６８】
そして、該第１貯留槽２内への流入量がポンプ１５１による吸引量を上回ったときは、第１貯留槽２内で水位が上昇する。数年に一度の大雨時において、その水位が前記越流口５の下端を越えたときは、第１貯留槽２内の貯留水が前記越流口５を越流して第２貯留槽３内に貯留されていく。第１貯留槽２内への雨水流入が継続して、該第１貯留槽２と第２貯留槽３内の貯留水の水位が設定水位を越えたときは、前記第１区画部１６０内に流入した雨水は前記第１貯留槽２内に流入し難いため、該第１区画部１６０内の水位が上昇する。この水位が設定水位を越えると、図２８に矢印で示すように、前記余水吐き１６３から前記第２区画部１６１に雨水が流入し、前記排水管１７２より排水される。該排水管１７２の排水断面積は、前記のように、前記流出調整口１２の開口面積よりも大きく設定されているため、余水吐き１６３からの流入水を排水させることが可能なのである。第１貯留槽２内への雨水流入が減少するか或いはストップしたときは、ポンプ１５１による吸引継続により、第１貯留槽２内の水位が下がり、第２貯留槽３内の貯留水の水圧によって前記逆止弁７が開放されると、第２貯留槽３内の貯留水が第１貯留槽２内に流出する。このように流出した貯留水は、該ポンプ１５１により吸引されて河川に順次排水される。
【００６９】
なお前記流出調整口１２及び前記越流口５には、前記と同様構成の第１、第２のフィルタ具８２，８３が付設されるが、図２６、図２８においては、説明の便宜上これらを省略している。
【実施例３】
【００７０】
本発明は、前記実施例で示したものに限定されるものでは決してなく、「特許請求の範囲」の記載内で種々の設計変更が可能であることはいうまでもない。その一例を挙げれば次のようである。
【００７１】
(1)図２９〜３２、図３３、図３４は、本発明に係る複合型雨水一時貯留槽１のその他の実施例を示すもので、第１貯留槽２内に雨水を自然に流入させる方式のものである。
【００７２】
図２９〜３２に示す複合型雨水一時貯留槽１は、第１貯留槽２が、連通管１７６を介して連通された貯留槽１７７，１７９を、所要間隔を隔てて平行状態に配設した構成を有し、又両貯留槽１７７，１７９間の部分の全体に、空間形成ブロック４を用いてなる前記と同様構成の第２貯留槽３が構成されている。両貯留槽１７７，１７９は、共に、前記と同様のコンクリート製の貯留空間構造体であって、両貯留槽１７７，１７９の一端側の、対向する側壁部１８０，１８１の下部相互が前記連通管１７６で連通されている。
【００７３】
そして図２９〜３０に示すように、一方の貯留槽１７７の一端側の頂部に、前記と同様構成で、雨水を流入させる流入部８と、貯留水を排出させる排水部１１が設けられると共に、図３１〜３２に示すように、一方の側面部１８０の上下に、越流口５と、逆止弁７で開閉される流出口６が設けられている。又、図３１〜３２に示すように、排水槽部１０を区画形成する隔壁９には、流出調整口１２と余水吐き１３が設けられている。又、他方の貯留槽１７９の一端側の頂部にも、前記と同様構成で流入部８が設けられている。なお、図２９、図３２において符号１８３はマンホールである。又、前記流出調整口１２及び前記越流口５には、前記と同様にして第１のフィルタ具８２、第２のフィルタ具８３を付設するのがよい。
【００７４】
又図３３に示す複合型雨水一時貯留槽１は、平行する貯留槽１７７，１７９の一端部相互を、前記連通管に代えて連通貯留槽１８５で連通した構成を有しており、全体がコ字状を呈する一連のコンクリート製の第１貯留槽２を有する。そして、コ字状の内側部分の全体に、前記と同様構成の第２貯留槽３が構成されている。又図２９、図３２に示すと同様に、一方の貯留槽１７７の一端側に、貯留水を排水させる排水部１１が設けられている。該一方の側壁部１８２の上下に、越流口５と、逆止弁７で開閉される流出口６が設けられている。又、排水槽部１０を区画形成する隔壁９には、流出調整口１２と余水吐き１３が設けられている（図３２参照）。又流入部８は、図３３に示すものには特定されず、施工現場の状況に応じて、貯留槽への雨水流入を最短距離で行うことができるように所要に設定されるものである。
【００７５】
又図３４に示す複合型雨水一時貯留槽１は、平行する貯留槽１７７，１７９の両端相互を連通貯留槽１８５，１８５で連通させてなる全体がロの字状を呈する一連のコンクリート製の第１貯留槽２を有し、一方の貯留槽１７７の一端側が長さ方向に延長されることによって、前記と同様構成の排水槽部１０が設けられている。そしてロの字の内側部分の全体に、前記と同様構成の第２貯留槽３が構成されている。
【００７６】
又、一方の貯留槽１７７に、貯留水を排出させる排水部１１が設けられると共に、一方の側壁部１８２の上下に、越流口５と、逆止弁７で開閉される流出口６が設けられ、排水槽部１０を区画形成する隔壁９には、流出調整口１２と余水吐き１３が設けられている。（図３２参照）又流入部８は、施工現場の状況に応じて、貯留槽への雨水流入を最短距離で行うことができるように所要に設定されるものであり、図３４においては、前記一方の貯留槽１７７の一端側の頂部と、他方の貯留槽１７９の両端側の頂部に、流入方向を異ならせて設けられている。なお図３３において符号１８３はマンホールである。
【００７７】
(2)図３５〜３６、図３７、図３８は、第１貯留槽２に隣接させて枡部１５０を設置してなる複合型雨水一時貯留槽１の他の実施例を示すものである。
【００７８】
図３５〜３６に示す複合型雨水一時貯留槽１は、図２９〜３０に示すと同様に、連通管１７６を介して連通された対向する貯留槽１７７，１７９からなる第１貯留槽２を有し、一方の貯留槽１７７の一端側に隣接させて、前記と同様構成の枡部１５０が設けられている。該枡部１５０は前記と同様に、図３６に示す如く、区画壁部１５９によって内部が第１区画部１６０と第２区画部１６１に２分割されており、該区画壁部１５９の下部には流出調整口１２が設けられると共に、該第１区画部１６０に流入部８が設けられ、又該第２区画部１６１に排水部１１が設けられている。又、他方の貯留槽１７９の一端側にも流入部８が設けられている。そして、貯留槽１７７，１７９間の全体に、前記と同様構成の第２貯留槽３が構成されている。又、図２７に示すと同様に、該第１区画部１６０内に流入した雨水が、第１貯留槽２に流入できると共に、水中ポンプとして構成されたポンプ１５１によって吸引された貯留水の吐出部１７５が前記第１区画部１６０に設けられている。なお、図３５において符号１８３はマンホールである。
【００７９】
又図３７に示す複合型雨水一時貯留槽１は、図３３に示すと同様に、対向状態にある貯留槽１７７，１７９の一端側相互を連通貯留槽１８５で連通させてなるコ字状を呈する第１貯留槽２を有し、一方の貯留槽１７７の一端側に隣接させて、図３５に示すと同様構成の枡部１５０が設けられている。又流入部８は、図３５〜３６に示すと同様に設けられると共に、他方の貯留槽１７９の両端側にも設けられている。そして、コ字状の内側部分の全体に、前記と同様構成の第２貯留槽３が構成されている。又、枡部１５０の第１区画部１６０内に流入した雨水が第１貯留槽２に流入できると共に、前記と同様のポンプ１５１によって吸引された貯留水の吐出部１７５が前記第１区画部１６０に設けられている。なお、図７において符号１８３はマンホールである。
【００８０】
又図３８に示す複合型雨水一時貯留槽１は、前記と同様構成の対向状態にある貯留槽１７７，１７９の両端側相互を連通貯留槽１８５，１８５で連通させてなるロの字状を呈する第１貯留槽２を有し、一方の貯留槽１７７の一端側に隣接させて、前記と同様構成の枡部１５０が設けられている。又流入部８は、図３５〜３６に示すと同様に設けられると共に、他方の貯留槽１７９の両端側にも設けられている。又、枡部１５０の第１区画部１６０内に流入した雨水が第１貯留槽２に流入できると共に、前記と同様のポンプ１５１によって吸引された貯留水の吐出部１７５が前記第１区画部１６０に設けられている。そして、ロの字の内側部分の全体に、前記と同様構成の第２貯留槽３が構成されている。なお、図３８において符号１８３はマンホールである。
【００８１】
(3)第１貯留槽２と第２貯留槽３は、前記各実施例においては隣接状態に設けられているが、地下埋設物や植樹帯等との関係で、例えば図３９に示すように、５〜２０ｍ程度間隔を置いて配置されることもある。このように構成する場合は、両貯留槽２，３を、第１貯留槽の流出口６及び越流口５において、連通管１７４，１７８で連通させる。
【００８２】
(4)図４０は、第１貯留槽２の底面部の所要部位、例えば前記隔壁９の流出調整口１２の手前において、底部に泥溜め用のピット１８６を設けた場合を示すものである。この場合、第１貯留槽２の底面１８７を該ピット１８６に向け若干傾斜させることにより、貯留槽の底部の堆積物を該ピットに極力集めることができて好ましい。
【００８３】
(5)前記第１貯留槽２は、前記各実施例においては、頂面部が閉塞されたコンクリート製の貯留空間構造体として構成されているが、該第１貯留槽２の上端が開放されてプール状に構成されることもある。
【００８４】
(6)第１貯留槽２に設ける排水槽部１０は、第１貯留槽が直線状を呈する場合はその端部に寄せて設けるのが通常であるが、第１貯留槽の構成と排水管の接続の容易性等を考慮して、任意の最適場所に設けられるものである。
【００８５】
(7)第２貯留槽３を構成する前記空間形成ブロック４は、前記のようなプラスチック製部材を以って構成するのが、非常に軽量で取扱性に優れるために好ましいが、内部に空洞がありこの空洞が外面で開放する例えばコンクリート製ブロックとして構成されることもある。空間形成ブロック４はその他、縦横及び上下に設置することによって貯留空隙構造体を構成できるものであれば、礫等を用いて構成することも考えられる。
【００８６】
(8)本発明において、逆止弁７で開閉される流出口６及び越流口５の個数、及びそれらの開口面積、それらの形状は、第１貯留槽２の前記設定水位Ｌを越えた貯留水を第２貯留槽３に効果的に越流させることができ、且つ、第１貯留槽２内の水位が低下したときに第２貯留槽３内の貯留水を第１貯留槽２に向けて効果的に流出させることができる限り、所要に設定され得る。
【００８７】
(9)本発明を構成する前記第２貯留槽３は、前記各実施例においては、空間形成ブロックを設置することによって形成された貯留空隙構造体の全体を遮水シートで覆うことによって構成されているが、貯留空隙構造体の全体を透水シートで覆うことによって構成されることもある。該透水シートは、水は通過させるが土砂は通過させないシートであり、地下水の水位が低くて地下水が第２貯留槽３内に侵入する恐れがない場合に使用される。このような場合は、貯留空隙構造体の少なくとも下面を透水シートで覆うものとする。
【００８８】
このように構成するとき、該透水シートの外側を保護シートで覆うと共に該透水シートの内側に前記支持板を配置する場合は、該保護シートは透水性を有するものを用い、又、該支持板は、透水性を有するもの或いは支持板相互の連続部分から透水できる構造のものを用いる。かかる第２貯留槽３によるときは、第２貯留槽３内の貯留水の一部を地下浸透させて地下水の豊富化を図ることができる。
【００８９】
このように構成する場合の態様としては、貯留空隙構造体の下面のみを透水性シートで覆い、その他の部分を遮水シートで覆う場合がある他、貯留空隙構造体の下面と上面のみを透水シートで覆うと共に側面は遮水シートで覆う場合がある。更に、貯留空隙構造体の下面と側面のみを透水シートで覆うと共に上面を遮水シートで覆う場合もある。
【００９０】
特に図４１に示すように、貯留空隙構造体１４８の上面を、透水性を有し或いは接続部分から透水できる支持板１３１で覆い、その上を透水シート１８９で覆い、更にその上を透水性を有する保護シート１２９で覆って第２貯留槽３を構成した後、該第２貯留槽３の上面部に透水性の舗装部１９０を形成した場合は、降雨時において、該舗装部１９０を浸透した雨水を、前記保護シート１２９及び透水シート１８９を通過させて第２貯留槽３内に流入させることができるため、走行車両のスリップ事故等を防止できることとなる。
【００９１】
(10) 第１貯留槽内に雨水を自然に流入させる前記各実施例においては、第１貯留槽２に雨水を流入させる流入部８を、該第１貯留槽２の頂部側に形成しているが、第１貯留槽２の側面部の上部から雨水を流入させることもある。
【００９２】
(11) 本発明における第１貯留槽２は、少なくとも底面部と側面部とがコンクリート構造部とされたコンクリート製の貯留空間構造体として構成されるものであれば、前記のように、箱型ブロック等のプレキャストコンクリートブロックを連結して構成されることの他、例えば特開平１０−６８１６２号が開示するような、プレキャストコンクリート製の柱部材と壁部材、梁部材を用いて構成されることもある。又、現場打ち施工で構成されることもある。
【００９３】
(12) 本発明において、第２貯留槽は、空間形成ブロックを縦横及び上下に設置することによって形成された貯留空隙構造体の全体を、遮水シート及び／又は透水シートで覆うことによって構成されておればよいが、通常は、前記実施例で示したように、遮水シートや透水シートを保護するために、その外側を保護シートで覆ったり、遮水シートや透水シートの内側に支持板を配置する。
【００９４】
(13) 前記第１貯留槽２及び前記枡部１５０に設ける余水吐き１３は、図４２に示すように、前記隔壁９の上部に設けられた隔壁全幅に亘る開口として形成されることもある。
【００９５】
(14) 本発明において、「余水吐きを越流口の上側に位置させて設ける」とは、余水吐きの下端が越流口の上端に合致するように設ける場合を含むものである。
【００９６】
(15) 前記第１のフィルタ具８２及び第２のフィルタ具８３は、落ち葉等浮遊物を濾過できるものであれば、メッシュ状等、各種に構成できる。
【００９７】
(16) 第１貯留槽２内の貯留水をポンプ１５１で吸引して、これを枡部１５０の第１区画部１６０内に吐出させる場合、該ポンプ１５１は、前記した水中ポンプであることの他、地上等の貯留槽外に設置したポンプであってもよい。
【図面の簡単な説明】
【００９８】
【図１】本発明に係る複合型雨水一時貯留槽を示す一部欠切斜視図である。
【図２】第１貯留槽を説明する断面図である。
【図３】第１貯留槽内への雨水の流入状態を示す断面図である。
【図４】第１貯留槽を示す斜視図である。
【図５】第１貯留槽の雨水の流入側の構成を説明する分解斜視図である。
【図６】第１貯留槽の雨水の排水側の構成を説明する分解斜視図である。
【図７】雨水の排水側を構成する隔壁ブロックの構成を第１のフィルタ具と共に示す斜視図である。
【図８】第１貯留槽から第２貯留槽への越流部分の構成を第２のフィルタ具と共に示す斜視図である。
【図９】第１貯留槽と第２貯留槽との境界部分に設けられた逆止弁を、閉じた状態で示す斜視図である。
【図１０】その逆止弁が開いた状態を示す斜視図である。
【図１１】第１貯留槽の端部に設けられた排水槽部の構成を、該排水槽部内への貯留水の流入状態と共に示す断面図である。
【図１２】第１貯留槽の排水槽部側の構成を説明する一部欠切斜視図である。
【図１３】該排水槽部を構成する隔壁ブロックに形成された流出調整口を覆う第１のフィルタ具の構成を、フィルタ板を開いた状態で示す斜視図である。
【図１４】第１貯留槽と第２貯留槽とを連通させる越流孔を第２のフィルタ具で覆った状態を示す斜視図である。
【図１５】そのフィルタ具を、フィルタ板を開いた状態で示す斜視図である。
【図１６】第２貯留槽を構成する空間形成ブロックを支持板と共に示す斜視図である。
【図１７】空間形成ブロックを積重した状態を示す一部断面側面図である。
【図１８】横に連結される空間形成ブロック相互の連結構造を説明する斜視図である。
【図１９】空間形成ブロックの連結部分を示す斜視図である。
【図２０】第２貯留槽を構築するための施工空間の処理状態を示す斜視図である。
【図２１】越流孔の外側周辺の処理状態を示す斜視図である。
【図２２】前記のように処理された施工空間に空間形成ブロックを設置した状態を示す斜視図である。
【図２３】第２貯留槽の構成を説明する一部断面斜視図である。
【図２４】第２貯留槽から第１貯留槽内への貯留水の移動状態を示す断面図である。
【図２５】本発明に係る複合型雨水一時貯留槽の他の態様を示す斜視図である。
【図２６】その第１貯留槽を示す断面図である。
【図２７】その部分拡大図である。
【図２８】第１貯留槽の一端側に隣接して設置した枡部を示す断面図である。
【図２９】本発明に係る複合型雨水一時貯留槽のその他の態様を示す平面図である。
【図３０】そのＡ−Ａ断面図である。
【図３１】そのＢ−Ｂ断面図である。
【図３２】第１貯留槽の構成を説明する部分断面図である。
【図３３】本発明に係る複合型雨水一時貯留槽のその他の態様を、第２貯留槽の一部分を破断して示す平面図である。
【図３４】同様にその他の態様を、第２貯留槽の一部分を破断して示す平面図である。
【図３５】同様にその他の態様を、第２貯留槽の一部分を破断して示す平面図である。
【図３６】第１貯留槽に隣接して設置した枡部を示す断面図である。
【図３７】同様にその他の態様を、第２貯留槽の一部分を破断して示す平面図である。
【図３８】同様にその他の態様を、第２貯留槽の一部分を破断して示す平面図である。
【図３９】第１貯留槽と第２貯留槽とを離間させてなる複合型雨水一時貯留槽を示す平面図である。
【図４０】第１貯留槽に泥溜め用のピットが設けられた複合型雨水一時貯留槽を示す部分断面図である。
【図４１】第２貯留槽の上部に透水性の舗装部が形成されてなる複合型雨水一時貯留槽を示す断面図である。
【図４２】余水吐きの他の態様を示す断面図である。
【符号の説明】
【００９９】
１  複合型雨水一時貯留槽
２  第１貯留槽
３  第２貯留槽
４  空間形成ブロック
５  越流口
６  流出口
７  逆止弁
８  流入部
９  隔壁
１０  排水槽部
１１  排水部
１２  流出調整口
１３  余水吐き
１９  隔壁ブロック
８０  泥溜め部
８２  第１のフィルタ具
８３  第２のフィルタ具
１２９  保護シート
１３０  遮水シート
１３１  支持板
１５０  枡部
１５１  水中ポンプ
１５２  ポンプピット
１５９  区画壁部
１６０  第１区画部
１６２  第２区画部
１６３  余水吐き
１７７  貯留槽
１７６  連通管
１７９  貯留槽
１８５  連通貯留槽
【図１】
2005179931.tif 000003
【図２】
2005179931.tif 000004
【図３】
2005179931.tif 000005
【図４】
2005179931.tif 000006
【図５】
2005179931.tif 000007
【図６】
2005179931.tif 000008
【図７】
2005179931.tif 000009
【図８】
2005179931.tif 000010
【図９】
2005179931.tif 000011
【図１０】
2005179931.tif 000012
【図１１】
2005179931.tif 000013
【図１２】
2005179931.tif 000014
【図１３】
2005179931.tif 000015
【図１４】
2005179931.tif 000016
【図１５】
2005179931.tif 000017
【図１６】
2005179931.tif 000018
【図１７】
2005179931.tif 000019
【図１８】
2005179931.tif 000020
【図１９】
2005179931.tif 000021
【図２０】
2005179931.tif 000022
【図２１】
2005179931.tif 000023
【図２２】
2005179931.tif 000024
【図２３】
2005179931.tif 000025
【図２４】
2005179931.tif 000026
【図２５】
2005179931.tif 000027
【図２６】
2005179931.tif 000028
【図２７】
2005179931.tif 000029
【図２８】
2005179931.tif 000030
【図２９】
2005179931.tif 000031
【図３０】
2005179931.tif 000032
【図３１】
2005179931.tif 000033
【図３２】
2005179931.tif 000034
【図３３】
2005179931.tif 000035
【図３４】
2005179931.tif 000036
【図３５】
2005179931.tif 000037
【図３６】
2005179931.tif 000038
【図３７】
2005179931.tif 000039
【図３８】
2005179931.tif 000040
【図３９】
2005179931.tif 000041
【図４０】
2005179931.tif 000042
【図４１】
2005179931.tif 000043
【図４２】
2005179931.tif 000044